(57)【要約】【課題】施工が容易で且つ簡単な回路構成で実現できるシステムであって、複数の照明器具を所望の動作モードに一括設定できる照明制御システムを提供する。【解決手段】照明制御システムは、複数の誘導灯２と、複数の誘導灯２を集中制御する誘導灯信号装置１と、誘導灯信号装置１からのパルス信号によって開閉されるスイッチＳＷ１とを備えており、各誘導灯２には商用電源ＡＣに接続された２本の電源線３、３と、スイッチＳＷ１を介して商用電源ＡＣの片相に接続された１本の信号線４とがそれぞれ接続されている。また、各誘導灯２はそれぞれ少なくとも３つの動作モードを有しており、誘導灯信号装置１からのパルス信号によるスイッチＳＷ１の開閉パターンに応じて何れかの動作モードに一括設定されるようになっている。【選択図】図１
2010033847.tif 000002
【特許請求の範囲】
【請求項１】
複数の照明器具と、該複数の照明器具を集中制御する制御装置と、制御装置からのパルス信号によって開閉されるスイッチ部とを備え、前記各照明器具には商用電源に接続された２本の電源線と、前記スイッチ部を介して商用電源の片相に接続された１本の信号線とがそれぞれ接続されており、前記各照明器具はそれぞれ少なくとも３つの動作モードを有し、前記制御装置からのパルス信号による前記スイッチ部の開閉パターンに応じて何れかの動作モードに一括設定されることを特徴とする照明制御システム。
【請求項２】
前記複数の照明器具は複数の誘導灯で構成され、前記制御装置は複数の誘導灯を集中制御する誘導灯信号装置で構成されたことを特徴とする請求項１記載の照明制御システム。
【請求項３】
前記各誘導灯は、光源と、非常時において光源に点灯電力を供給する２次電池と、前記スイッチ部の開閉動作によるパルス信号を検出する制御信号検出部と、該制御信号検出部が検出したパルス信号に基づいて前記動作モードを切り替える制御手段とを備え、前記動作モードとして、前記光源を前記２次電池により所定の点検時間以上点灯させることによって前記２次電池が正常か否かを判定する点検モードと、商用電源から供給される電力によって前記光源を点灯させる常時点灯モードと、前記光源を消灯させる常時消灯モードとを少なくとも有し、前記制御手段は、前記制御信号検出部が検出したパルス信号に応じて少なくとも前記点検モード、常時点灯モードまたは常時消灯モードの何れかに切り替えることを特徴とする請求項２記載の照明制御システム。
【請求項４】
前記各誘導灯の前記制御手段は、前記動作モードが点検モードに切り替わると、予め設定された順番で時間をずらして点検動作を実施することを特徴とする請求項３記載の照明制御システム。
【請求項５】
前記複数の誘導灯は機能の異なる複数種類の誘導灯からなり、各種類の誘導灯はそれぞれ複数種類の動作モードを有し、前記スイッチ部の開閉パターンに応じてそれぞれ何れかの動作モードに一括設定されることを特徴とする請求項３または４の何れか１項に記載の照明制御システム。
【請求項６】
前記複数種類の誘導灯は１つの筐体内に収納され、前記制御手段で前記複数種類の誘導灯が制御されることを特徴とする請求項５記載の照明制御システム。
【発明の詳細な説明】
【技術分野】
【０００１】
本発明は、照明制御システムに関するものである。
【背景技術】
【０００２】
従来より、防災用照明器具として使用される誘導灯が種々提供されている。この誘導灯は、災害時における避難経路や避難方向などに関する情報を各種の簡単な文字や図形（例えば人が走っている図など）などで表示したものであって、各種の公共的建物内の要所に設置することが法律で義務付けられている。そして、通常、建物内には複数の誘導灯が設置されており、これらの誘導灯は原則的には常時点灯させることとなっているが、例えば映画館などの一部の施設では常時消灯してもよいことになっている。
【０００３】
さらに、複数の誘導灯を集中制御できるように構成された誘導灯制御システムも従来から提供されており、例えば図１３は本システムに用いられる３線式の誘導灯の一例を示し、商用電源ＡＣに接続された２本の電源線３、３と、誘導灯２に内蔵されたランプ２１のオン／オフ信号用の１本の信号線４とが配線されている。この誘導灯２では、図示しない誘導灯信号装置からの制御信号によりスイッチＳＷ１がオフになると、制御部２０を構成する判断部２０ａによりスイッチ素子Ｑ１がオンになり、点灯回路部２２を介して供給される点灯電力によりランプ２１が点灯する。一方、上記制御信号によりスイッチＳＷ１がオンになると、判断部２０ａによりスイッチ素子Ｑ１、Ｑ２がともにオフになり、ランプ２１が消灯する。すなわち、本誘導灯制御システムでは、スイッチＳＷ１からのオン／オフ信号により複数の誘導灯２を一括で点灯／消灯できるようになっている。
【０００４】
ここにおいて、上述した誘導灯２や非常灯（図示せず）では、消防庁告示や建築基準法などで点検が義務付けられており、誘導灯では２０分間または６０分間、非常灯では３０分間、それぞれ２次電池によりランプを有効に非常点灯させなければならない。したがって、上述した誘導灯制御システムの場合には、各誘導灯２を所定時間継続して非常点灯させるために、各誘導灯２毎に点検スイッチ（図示せず）の引き輪に重りをぶら下げて点検状態にする必要があり、非常に手間のかかる作業であった。そこで、本システムにおいて、点検作業の省力化を図るために、例えば誘導灯信号装置からの制御信号により自動的に点検できるシステムにすることが考えられるが、上記の信号線４はランプ２１を点灯／消灯させる信号を送信するためのものであるから、この場合もう１本信号線を増やして４線式にする必要があり、その結果施工性が悪くなるという問題があった。
【０００５】
また、同様に点検作業を自動化することで点検作業の省力化を図ったものも提案されている（例えば特許文献１、２参照）。これらの照明システムは、複数の照明装置と、各照明装置との間で通信線を介してデータの授受を行う制御装置とで構成されており、制御装置から各照明装置に定期的（例えば３ヶ月に１回）に送信される点検開始のコマンドデータにより点検処理を開始し、各照明装置の点検結果はそれぞれ制御装置に返信されるようになっている。すなわち、本照明システムでは、各照明装置の設置場所まで赴いて点検を行わなくても、制御装置により各照明装置の点検結果を把握できるようになっているのである。
【０００６】
さらに、図１４に示すように、ＡＣ電源に重畳させた制御信号により点検作業を自動化したものも提案されている（例えば特許文献３参照）。この誘導灯制御システムでは、誘導灯信号装置１０２の制御部１０６から発せられた制御信号が送信部１０７を介してＡＣ電源線１０１に重畳され、ＡＣ電源線１０１を介して伝送された制御信号を受け取った誘導灯１０８側で自動点検が行なわれるようになっている。
【特許文献１】特開２００４−１１９１５１号公報（段落［００６４］−段落［００６８］、及び、第１３、１４図）
【特許文献２】特開２００４−１１１３４７号公報（段落［００６２］−段落［００７４］、及び、第１図−第３図）
【特許文献３】特開平７−１９３５３１号公報（段落［００３０］−段落［００６５］、及び、第１、２図）
【発明の開示】
【発明が解決しようとする課題】
【０００７】
上述の特許文献１、２に示した照明システムでは、複数の照明装置に対して定期的に点検作業が行えるとともに、点検結果を制御装置でまとめて把握することができるが、通信線などの施工が別途必要であるため施工性がよくなかった。
【０００８】
また、特許文献３に示した誘導灯制御システムでは、ＡＣ電源に制御信号を重畳させているため、特許文献１、２に示した照明システムのように通信線などの別配線は不要であり、且つ、複数の誘導灯を一括点検できるものではあるが、ＡＣ電源に制御信号を重畳させるため、制御装置を構成する送信部内に高周波発生部、変調器、フィルタなどを内蔵する必要があり、結果的に回路構成が複雑になるものであった。
【０００９】
本発明は上記問題点に鑑みて為されたものであり、その目的とするところは、施工が容易で且つ簡単な回路構成で実現できるシステムであって、複数の照明器具を所望の動作モードに一括設定できる照明制御システムを提供することにある。
【課題を解決するための手段】
【００１０】
請求項１の発明は、複数の照明器具と、該複数の照明器具を集中制御する制御装置と、制御装置からのパルス信号によって開閉されるスイッチ部とを備え、各照明器具には商用電源に接続された２本の電源線と、スイッチ部を介して商用電源の片相に接続された１本の信号線とがそれぞれ接続されており、各照明器具はそれぞれ少なくとも３つの動作モードを有し、制御装置からのパルス信号によるスイッチ部の開閉パターンに応じて何れかの動作モードに一括設定されることを特徴とする。
【００１１】
請求項２の発明は、複数の照明器具は複数の誘導灯で構成され、制御装置は複数の誘導灯を集中制御する誘導灯信号装置で構成されたことを特徴とする。
【００１２】
請求項３の発明は、各誘導灯は、光源と、非常時において光源に点灯電力を供給する２次電池と、スイッチ部の開閉動作によるパルス信号を検出する制御信号検出部と、該制御信号検出部が検出したパルス信号に基づいて動作モードを切り替える制御手段とを備え、動作モードとして、光源を２次電池により所定の点検時間以上点灯させることによって２次電池が正常か否かを判定する点検モードと、商用電源から供給される電力によって光源を点灯させる常時点灯モードと、光源を消灯させる常時消灯モードとを少なくとも有し、制御手段は、制御信号検出部が検出したパルス信号に応じて少なくとも点検モード、常時点灯モードまたは常時消灯モードの何れかに切り替えることを特徴とする。
【００１３】
請求項４の発明は、各誘導灯の制御手段は、動作モードが点検モードに切り替わると、予め設定された順番で時間をずらして点検動作を実施することを特徴とする。
【００１４】
請求項５の発明は、複数の誘導灯は機能の異なる複数種類の誘導灯からなり、各種類の誘導灯はそれぞれ複数種類の動作モードを有し、スイッチ部の開閉パターンに応じてそれぞれ何れかの動作モードに一括設定されることを特徴とする。
【００１５】
請求項６の発明は、複数種類の誘導灯は１つの筐体内に収納され、制御手段で複数種類の誘導灯が制御されることを特徴とする。
【発明の効果】
【００１６】
請求項１の発明によれば、動作モードの種類に応じてスイッチ部の開閉パターンを設定すればいいので、従来例に示した３線式の誘導灯制御システムに比べて信号線を追加することなく、複数の照明器具を所定の動作モードに一括設定することができる。また、特許文献１、２に示した照明システムに比べて通信線を必要とせず、且つ、上記の３線式の誘導灯制御システムに比べて信号線を追加しなくてもいいから施工が容易になり、さらに制御信号をＡＣ電源に重畳する場合のように複雑な回路構成の送信部が必要ないから、簡単な回路構成で複数の照明器具を一括制御可能な照明制御システムを実現することができるという効果がある。
【００１７】
請求項２の発明によれば、誘導灯信号装置からのパルス信号により、複数の誘導灯を所定の動作モードに一括設定可能な照明制御システムを提供することができるという効果がある。
【００１８】
請求項３の発明によれば、各誘導灯において、制御信号検出部が検出したパルス信号に応じて点検モード、常時点灯モードまたは常時消灯モードの何れかの動作モードに設定することができるので、複数の誘導灯を一括点検可能な照明制御システムを実現することができるという効果がある。
【００１９】
請求項４の発明によれば、点検モードにおいて、複数の誘導灯を一括点検するのではなく、予め設定された順番で時間をずらして点検することによって、点検終了時に全ての誘導灯で２次電池が放電状態となることがないから、例えば点検中や点検直後に停電になった場合でも全ての誘導灯が非常点灯しなくなるのを防止することができ、停電時における誘導灯として確実に機能させることができるという効果がある。
【００２０】
請求項５の発明によれば、各種類の誘導灯を１つの誘導灯信号装置によりそれぞれ所定の動作モードに一括設定することができるので、誘導灯の種類毎にシステムを設けた場合に比べてコストを低減した照明制御システムを実現することができる。また、既設の誘導灯とは異なる種類の誘導灯を後から設置する場合においても、誘導灯信号装置からの配線を増やすことなく設置することができるから、施工が容易であるとともにコストダウンを図ることができるという効果がある。
【００２１】
請求項６の発明によれば、複数種類の誘導灯を１つの筐体内に収納し、１つの制御手段で制御することによって、各種類毎に制御手段を設けた場合に比べて制御手段を簡略化することができ、その結果コストダウンを図ることができるという効果がある。
【発明を実施するための最良の形態】
【００２２】
以下に本発明に係る照明制御システムの実施形態を図面に基づいて説明する。本発明に係る照明制御システムは、例えば映画館などの公共的建物内に設置される複数の誘導灯が接続され、上記建物から避難する際の誘導用システムとして用いられる。
【００２３】
（実施形態１）
図１（ａ）は実施形態１の照明制御システムを示し、複数（図１（ａ）では３個）の誘導灯２（照明器具）と、複数の誘導灯２を集中制御する誘導灯信号装置１（制御装置）と、誘導灯信号装置１からのパルス信号によって開閉されるスイッチＳＷ１（スイッチ部）とを備えている。なお、誘導灯信号装置１については従来周知のものを採用しており、詳細な説明については省略する。
【００２４】
誘導灯２は３線式の誘導灯であって、図１（ｂ）に示すように商用電源ＡＣに接続された２本の電源線３、３と、スイッチＳＷ１を介して商用電源ＡＣの片相に接続された１本の信号線４とが接続されている。
【００２５】
また、誘導灯２は、図１（ｂ）に示すようにランプ２１（例えば、放電灯や発光ダイオードなど）と、停電時においてランプ２１に電力供給するための２次電池２６と、商用電源ＡＣから供給される交流電源を降圧するとともに安定化して所望の直流電源を得るための電源部２３と、電源部２３から出力される直流電力により２次電池２６を充電する充電部２４と、ランプ２１に点灯電力を供給する点灯回路部２２と、電源部２３から点灯回路部２２への給電路を開閉するためのスイッチ素子Ｑ１と、２次電池２６から点灯回路部２２への給電路を開閉するためのスイッチ素子Ｑ２と、スイッチＳＷ１がオン／オフされた際に入力される交流電圧信号を直流電圧信号に変換する制御信号変換部２５と、制御部２０とを備えている。
【００２６】
さらに、制御部２０は、商用電源ＡＣの停電または復電を電源部２３からの出力信号により検出する停電検出部２０ｄと、２次電池２６の電池電圧を検出する電圧検出部２０ｂと、充電部２４による２次電池２６の充電状態を検出する充電検出部２０ｃと、制御信号変換部２５からの制御信号を検出する制御信号検出部２０ｅと、上記各検出部２０ｂ〜２０ｅの検出結果に基づいて各種の動作制御を実行する判断部２０ａとを備えている。
【００２７】
ここで、本実施形態の誘導灯２は、ランプ２１を２次電池２６により所定の点検時間以上強制的に点灯させることによって２次電池２６が正常か否かを判定する点検モードと、ランプ２１を点灯させるとともに商用電源ＡＣから供給される電力により２次電池２６を充電する常時点灯モードと、ランプ２１を消灯させるとともに商用電源ＡＣから供給される電力により２次電池２６を充電する常時消灯モードの３つの動作モードを有し、誘導灯信号装置１からのパルス信号によるスイッチＳＷ１の開閉パターンに応じて判断部２０ａが何れかの動作モードに設定するように構成されている。なお、本実施形態の誘導灯２は、停電時には２次電池２６の放電電力によりランプ２１を非常点灯させるようになっている。
【００２８】
次に、本実施形態の照明制御システムの動作について説明する。まず、誘導灯信号装置１から所定のパルス信号が出力されると、このパルス信号に応じてスイッチＳＷ１がオン／オフされる。スイッチＳＷ１がオン／オフされることで、制御信号変換部２５にはスイッチＳＷ１の開閉パターンに対応する交流電圧信号が入力されるとともに、当該制御信号変換部２５において直流電圧信号に変換され、制御部２０を構成する制御信号検出部２０ｅに出力される。そして、制御信号検出部２０ｅにおいて上記直流電圧信号が検出されると判断部２０ａに出力され、判断部２０ａでは入力された直流電圧信号（パルス信号）に応じて何れかの動作モードに設定する。
【００２９】
例えば、図２（ａ）に示すように制御信号検出部２０ｅからのパルス信号Ｖ１が３秒間で２回検出された場合には、判断部２０ａは動作モードを２次電池２６の点検を行う点検モードに設定し、図２（ｂ）に示すようにパルス信号Ｖ１が３秒以上連続して検出された場合には常時消灯モードに設定し、さらに図２（ａ）（ｂ）以外の場合には常時点灯モードに設定する。なお、上記の３秒については、誘導灯器具技術基準（ＪＩＬ５５０２）における「誘導灯信号装置からの動作信号を受けて、３秒以内に動作を開始すること」に基づいて設定している。
【００３０】
そして、例えば動作モードが点検モードに設定された場合、判断部２０ａは充電検出部２０ｃからの検出信号に基づいて点検動作が可能か否かを判定し、点検動作が可能であればスイッチ素子Ｑ１をオフ、スイッチ素子Ｑ２をオンさせることで擬似的に停電状態を作り出し、２次電池２６の点検動作を実行する。なおこのとき、ランプ２１が点灯する。ここにおいて、点検動作が可能か否かは２次電池２６が所定時間（例えば２４時間以上）充電されているか否かにより判断され、また２次電池２６の点検は電圧検出部２０ｂが検出する電池電圧に基づいて行われる。ここに、判断部２０ａにより制御手段が構成されている。なお、本実施形態では、動作モードが点検モードに設定された場合、全ての誘導灯２に対してパルス信号が送信され、全ての誘導灯２において同時に点検動作が実施されるように構成している。
【００３１】
而して、本実施形態によれば、動作モードの種類に応じてスイッチＳＷ１の開閉パターンを設定すればいいので、従来例に示した３線式の誘導灯制御システムに比べて信号線を追加することなく、複数の誘導灯２を所定の動作モードに一括設定することができる。また、特許文献１、２に示した照明システムに比べて通信線を必要とせず、且つ、上記の３線式の誘導灯制御システムに比べて信号線を追加しなくてもいいから施工が容易になり、さらに制御信号をＡＣ電源に重畳する場合のように複雑な回路構成の送信部が必要ないから、簡単な回路構成で複数の誘導灯２を一括制御可能な照明制御システムを実現することができる。
【００３２】
なお、本実施形態では、パルス信号Ｖ１が３秒間で２回検出された場合に点検モードに設定し、パルス信号Ｖ１が３秒以上連続して検出された場合に常時消灯モードに設定し、それ以外の場合に常時点灯モードに設定しているが、パルス信号のパターンについては本実施形態に限定されるものではなく、点検モード、常時点灯モード、常時消灯モードが区別できるものであれば他のパターンであってもよい。
【００３３】
また、本実施形態では、動作モードが点検モード、常時点灯モード、常時消灯モードの
３パターンの場合を例に説明したが、少なくとも３パターンの動作モードを有していればよく、４パターン以上であってもよい。
【００３４】
（実施形態２）
図３は実施形態２の照明制御システムに用いられる誘導灯２のブロック図を示しており、実施形態１では全ての誘導灯２において同時に点検動作を実施しているが、本実施形態では各誘導灯２の制御部２０内にそれぞれアドレス記憶部２０ｆを設け、各誘導灯２の点検動作を予め設定したアドレス順に時間をずらして実施するように構成している。なお、それ以外の構成は実施形態１と同様であり、同一の構成要素には同一の符号を付して説明は省略する。
【００３５】
本実施形態の誘導灯２は、制御部２０内にアドレス記憶部２０ｆが設けられており、各誘導灯２の判断部２０ａは、動作モードが点検モードに設定された場合、アドレス記憶部２０ｆに記憶されたアドレス順に時間をずらして点検動作を行うように構成されている。
【００３６】
例えば、本照明制御システムに接続された誘導灯が３個（誘導灯２１〜２３）の場合には、図４に示すように点検信号Ｓｉが入力されると（すなわち、パルス信号Ｖ１が３秒間に２回検出されると）、まず誘導灯２１において点検動作が実行され、次に誘導灯２１の点検動作から２４時間経過すると誘導灯２２において点検動作が実行され、さらに誘導灯２２の点検動作から２４時間経過すると誘導灯２３の点検動作が実行される。
【００３７】
而して、本実施形態によれば、点検モードにおいて、複数の誘導灯２１〜２３において同時に点検動作を実施するのではなく、予め設定されたアドレス順に時間をずらして点検することによって、点検終了時に全ての誘導灯２１〜２３の２次電池２６が放電状態となることがないから、例えば点検中や点検直後に停電になった場合でも全ての誘導灯２１〜２３が非常点灯しなくなるのを防止することができ、停電時における誘導灯として確実に機能させることができる。
【００３８】
なお、本実施形態では、誘導灯が３個の場合を例に説明したが、本システムに接続される誘導灯は２台でもいいし、４台以上であってもよい。また、本実施形態では、１つの誘導灯の点検動作から次の誘導灯の点検動作までの時間を２４時間に設定しているが、任意の時間でよい。さらに、制御部２０内のアドレス記憶部２０ｆにアドレスを記憶させる方法については、例えばリモコンを用いてアドレス記憶部２０ｆにアドレスを読み込ませるように構成してもよいし、ディップスイッチなどでアドレスを読み込ませるように構成してもよい。
【００３９】
（実施形態３）
図５は実施形態３の照明制御システムを示し、実施形態１では誘導灯信号装置１と機能が同じ複数の誘導灯２とで照明制御システムを構成しているが、本実施形態では誘導灯信号装置１と機能の異なる複数種類の誘導灯２Ａ、２Ｂとで照明制御システムを構成している。なお、それ以外の構成は実施形態１と同様であり、同一の構成要素には同一の符号を付して説明は省略する。
【００４０】
本実施形態の照明制御システムは、図５に示すように機能の異なる複数種類（本実施形態では２種類）の誘導灯２Ａ、２Ｂと、誘導灯２Ａ、２Ｂを集中制御する誘導灯信号装置１と、誘導灯信号装置１からのパルス信号によって開閉されるスイッチＳＷ２とを備え、誘導灯信号装置１には自動火災報知設備６内に設けられた移報端子６ａが接続されている。
【００４１】
この移報端子６ａは通常状態では閉状態であり、火災などの異常時に開状態となる。そして、移報端子６ａが開状態になると、誘導灯信号装置１は火災などの異常が発生したと判断し、各誘導灯２Ａ、２Ｂへのパルス信号を遮断するように構成されている。
【００４２】
誘導灯２Ａは、商用電源に接続された避難誘導灯のように点灯／消灯を制御信号により切替可能な消灯形誘導灯であって、図６に示すようにランプ２１（例えば、放電灯や発光ダイオードなど）と、停電時においてランプ２１に電力供給するための２次電池２６と、商用電源ＡＣから供給される交流電源を降圧するとともに安定化して所望の直流電源を得るための電源部２３と、電源部２３から出力される直流電力により２次電池２６を充電する充電部２４と、ランプ２１に点灯電力を供給する点灯回路部２２と、電源部２３から点灯回路部２２への給電路を開閉するためのスイッチ素子Ｑ１と、２次電池２６から点灯回路部２２への給電路を開閉するためのスイッチ素子Ｑ２と、スイッチＳＷ２がオン／オフされた際に入力される交流電圧信号を直流電圧信号に変換する制御信号変換部２５と、制御部２０とを備えている。
【００４３】
さらに、制御部２０は、商用電源ＡＣの停電または復電を電源部２３からの出力信号により検出する停電検出部２０ｄと、２次電池２６の電池電圧を検出する電圧検出部２０ｂと、充電部２４による２次電池２６の充電状態を検出する充電検出部２０ｃと、制御信号変換部２５からの制御信号を検出する制御信号検出部２０ｅと、上記各検出部２０ｂ〜２０ｅの検出結果に基づいて各種の動作制御を実行する判断部２０ａとを備えている。
【００４４】
この誘導灯２Ａは、ランプ２１を２次電池２６により所定の点検時間以上強制的に点灯させることによって２次電池２６が正常か否かを判定する点検モードと、ランプ２１を点灯させるとともに商用電源ＡＣから供給される電力により２次電池２６を充電する常時点灯モードと、ランプ２１を消灯させるとともに商用電源ＡＣから供給される電力により２次電池２６を充電する常時消灯モードの３つの動作モードを有し、誘導灯信号装置１からのパルス信号によるスイッチＳＷ２の開閉パターンに応じて判断部２０ａが何れかの動作モードに設定するように構成されている。ここにおいて、本照明制御システムでは、動作モードを常時消灯モードに設定することで省エネを図ることができるが、この場合、建物内に人がいないことを確認した上で設定することを要する。
【００４５】
次に、誘導灯２Ｂは、火災などの異常時にランプを点滅させる点滅回路を備えた点滅形誘導灯であって、図７に示すようにランプ２７（例えば、放電灯や発光ダイオードなど）と、ランプ２７に電力供給するための２次電池２６と、商用電源ＡＣから供給される交流電源を降圧するとともに安定化して所望の直流電源を得るための電源部２３と、電源部２３から出力される直流電力により２次電池２６を充電する充電部２４と、ランプ２７を点滅させるための点滅回路部２８と、スイッチＳＷ２がオン／オフされた際に入力される交流電圧信号を直流電圧信号に変換する制御信号変換部２５と、制御部２０とを備えている。
【００４６】
さらに、制御部２０は、２次電池２６の電池電圧を検出する電圧検出部２０ｂと、充電部２４による２次電池２６の充電状態を検出する充電検出部２０ｃと、制御信号変換部２５からの制御信号を検出する制御信号検出部２０ｅと、上記各検出部２０ｂ、２０ｃ、２０ｅの検出結果に基づいて各種の動作制御を実行する判断部２０ａとを備えている。
【００４７】
この誘導灯２Ｂは、ランプ２７を２次電池２６により所定の点検時間以上点滅させることによって２次電池２６が正常か否かを判定する点検モードと、異常時（例えば火災など）においてランプ２７を点滅させる点滅モードと、ランプ２７を消灯させるとともに商用電源ＡＣから供給される電力により２次電池２６を充電する消灯モードの３つの動作モードを有し、誘導灯信号装置１からのパルス信号によるスイッチＳＷ２の開閉パターンに応じて判断部２０ａが何れかの動作モードに設定するように構成されている。
【００４８】
【表１】
2010033847.tif 000003
【００４９】
ここで、表１は本実施形態の誘導灯２Ａ、２Ｂの動作モードを示しており、例えば図８（ａ）に示すように制御信号検出部２０ｅからのパルス信号Ｖ１が３秒間で２回検出された場合には、誘導灯２Ａでは判断部２０ａにより動作モードが点検モードに設定され、２次電池２６の点検動作が実施される。このとき誘導灯２Ｂでは、判断部２０ａにより動作モードが消灯モードに設定され、ランプ２７を消灯させるとともに２次電池２６が充電される。
【００５０】
また、図８（ｂ）に示すように制御信号検出部２０ｅからのパルス信号Ｖ１が３秒間で３回検出された場合には、誘導灯２Ａではこの信号が入力される前の状態が維持され（例えば、本例のように点検モードに設定されていれば点検動作が継続される）、誘導灯２Ｂでは判断部２０ａにより動作モードが点検モードに設定されて、２次電池２６の点検動作が実施される。さらに、図８（ｃ）に示すように制御信号検出部２０ｅからのパルス信号Ｖ１が３秒間で４回検出された場合には、誘導灯２Ａは常時消灯モードに、誘導灯２Ｂは消灯モードにそれぞれ設定され、ランプ２１、２７ともに消灯される。
【００５１】
ここで、表１中のＬ信号は移報端子６ａからの信号を示しており、火災が発生した場合には移報端子６ａが開放状態となることで誘導灯信号装置１から誘導灯２Ａ、２Ｂへのパルス信号が遮断され、スイッチＳＷ２がオフになる。そして、誘導灯２Ａでは、判断部２０ａにより動作モードが常時点灯モードに設定されてランプ２１を点灯させ、誘導灯２Ｂでは、判断部２０ａにより点滅モードに設定されてランプ２７を点滅させる。なおこのとき、誘導灯２Ａでは、商用電源ＡＣが供給されている場合には商用電源ＡＣからの供給電力によりランプ２１を点灯させ、商用電源ＡＣが供給されていない場合（すなわち停電時）には２次電池２６からの供給電力によりランプ２１を点灯させることになる。また、誘導灯２Ｂでは、内蔵された２次電池２６からの供給電力によりランプ２７を点滅させることになる。
【００５２】
而して、本実施形態によれば、各種類の誘導灯２Ａ、２Ｂを１つの誘導灯信号装置１によりそれぞれ所定の動作モードに一括設定することができるので、誘導灯の種類毎にシステムを設けた場合に比べてコストを低減した照明制御システムを実現することができる。また、例えば誘導灯２Ａ（または誘導灯２Ｂ）しか接続されていない照明制御システムに対して誘導灯２Ｂ（または誘導灯２Ａ）を後から設置する場合においても、誘導灯信号装置１からの配線を増やすことなく設置することができるから、施工が容易であるとともにコストダウンを図ることができる。
【００５３】
なお、本実施形態では、３秒間で検出されるパルス信号Ｖ１の回数に応じて動作モードを設定しているが、動作モードの設定方法は本実施形態に限定されるものではなく、各動作モードが区別できるようなものであればよい。例えば、図９に示すように誘導灯２Ａの点検信号（すなわち、誘導灯２Ａを点検モードに設定するための信号）を商用電源ＡＣの位相が９０°の場合に同期させた信号とし、誘導灯２Ｂの点検信号を商用電源ＡＣの位相が０°の場合に同期させた信号とし、さらに誘導灯２Ａの消灯信号（すなわち、誘導灯２Ａを常時消灯モードに設定するための信号）を商用電源ＡＣの位相が４５°の場合に同期させた信号とすることで、動作モードの設定が可能になるとともに入力信号を外来ノイズなどと区別することもできる。
【００５４】
（実施形態４）
図１０は実施形態４の照明制御システムに用いられる誘導灯５を示し、実施形態３では、消灯形の誘導灯２Ａと点滅形の誘導灯２Ｂを別体に設けているが、本実施形態では消灯形の誘導灯２Ａと点滅形の誘導灯２Ｂを１つの筐体内に収納し、１つの誘導灯５を構成している。なお、それ以外の構成は実施形態３と同様であり、同一の構成要素には同一の符号を付して説明は省略する。
【００５５】
図１１は本実施形態の誘導灯５のブロック図を示しており、筐体内には消灯形の誘導灯２Ａ（消灯形誘導灯用点灯装置２９Ａ（以下、点灯装置２９Ａと略す）、ランプ２１および２次電池２６）と、点滅形の誘導灯２Ｂ（点滅形誘導灯用点灯装置２９Ｂ（以下、点灯装置２９Ｂと略す）、ランプ２７および２次電池２６）とが収納されている。また、スイッチＳＷ２を介して一端側が商用電源ＡＣに接続された信号線４は点灯装置２９Ａにのみ接続され、点灯装置２９Ａと点灯装置２９Ｂの間は信号線７により接続されている。
【００５６】
また、図１２は誘導灯５のさらに詳細なブロック図を示しており、実施形態３で説明した誘導灯２Ａ、２Ｂに比べて、スイッチＳＷ２からの信号を検出するための制御信号変換部２５および制御信号検出部２０ｅが点灯装置２９Ａにのみ設けられている点と、点灯装置２９Ａの制御部２０と点灯装置２９Ｂの制御部２０の間を信号線７により接続している点で異なっている。
【００５７】
次に、本実施形態の誘導灯５の動作について説明する。まず、スイッチＳＷ２の開閉動作によるパルス信号が点灯装置２９Ａに入力されると、点灯装置２９Ａの判断部２０ａがどのパターンのパルス信号であるか判断する。ここに、パルス信号としては上述した図８のようなものが挙げられ、例えばパルス信号Ｖ１が３秒間で２回検出された場合には、点灯装置２９Ａの判断部２０ａは誘導灯２Ａ側の点検モードであると判断し、２次電池２６の点検動作を実施する。また、パルス信号Ｖ１が３秒間で３回検出された場合には、点灯装置２９Ａの判断部２０ａは誘導灯２Ｂ側の点検モードであると判断し、信号線７を介して点灯装置２９Ｂの制御部２０に所定の信号（誘導灯２Ｂ側の点検モードに対応させた信号）を送信する。点灯装置２９Ｂの判断部２０ａでは上記信号を受信すると、誘導灯２Ｂ側の点検モードであると判断し、２次電池２６の点検動作を実施する。
【００５８】
さらに、パルス信号Ｖ１が３秒間で４回検出された場合には、点灯装置２９Ａの判断部２０ａは常時消灯モードであると判断し、ランプ２１を消灯させるとともに、信号線７を介して点灯装置２９Ｂの制御部２０に所定の信号（消灯モードに対応させた信号）を送信する。点灯装置２９Ｂの判断部２０ａでは上記信号を受信すると、消灯モードであると判断し、ランプ２７を消灯させる。また、火災が発生してスイッチＳＷ２がオフになると、点灯装置２９Ａの判断部２０ａは常時点灯モードであると判断し、ランプ２１を点灯させるとともに、信号線７を介して点灯装置２９Ｂの制御部２０に所定の信号（点滅モードに対応させた信号）を送信する。点灯装置２９Ｂの判断部２０ａでは上記信号を受信すると、点滅モードであると判断し、ランプ２７を点滅させる。
【００５９】
而して、本実施形態によれば、複数種類の誘導灯２Ａ、２Ｂを１つの筐体内に収納し、両誘導灯２Ａ、２Ｂを１つの制御手段（本実施形態では信号線７を介して接続した誘導灯２Ａの制御部２０および誘導灯２Ｂの制御部２０）で制御することによって、各種類毎に制御手段を設けた場合に比べて制御手段を簡略化することができ、その結果コストダウンを図ることができる。
【００６０】
なお、本実施形態では、点灯装置２９Ａの制御部２０と、点灯装置２９Ｂの制御部２０を別個に設けた場合を例に説明したが、例えば点灯装置２９Ｂの制御部２０の機能を点灯装置２９Ａの制御部２０に持たせることで点灯装置２９Ｂの制御部２０を省略する構成としてもよい。
【００６１】
また、実施形態１〜４では、照明器具として誘導灯を用いた場合を例に説明したが、照明器具は本実施形態に限定されるものではなく、制御装置を介して集中制御されるようなものであればよい。
【図面の簡単な説明】
【００６２】
【図１】（ａ）は実施形態１の照明制御システムを示す概略システム図、（ｂ）は同上に用いられる誘導灯の概略ブロック図である。
【図２】（ａ）、（ｂ）は同上に用いられる誘導灯に入力される制御信号のパターン図である。
【図３】実施形態２の照明制御システムに用いられる誘導灯の概略ブロック図である。
【図４】同上の動作を説明するタイムチャート図である。
【図５】実施形態３の照明制御システムを示す概略システム図である。
【図６】同上に用いられる消灯形誘導灯の概略ブロック図である。
【図７】同上に用いられる点滅形誘導灯の概略ブロック図である。
【図８】（ａ）〜（ｃ）は同上に用いられる各誘導灯に入力される制御信号のパターン図である。
【図９】同上に用いられる各誘導灯に入力される別の制御信号を示すタイムチャート図である。
【図１０】実施形態４の照明制御システムに用いられる誘導灯の外観斜視図である。
【図１１】同上に用いられる誘導灯の概略ブロック図である。
【図１２】同上に用いられる誘導灯の詳細ブロック図である。
【図１３】従来例の誘導灯制御システムに用いられる誘導灯の概略ブロック図である。
【図１４】従来例の別の例を示す誘導灯制御システムの概略システム図である。
【符号の説明】
【００６３】
１  誘導灯信号装置（制御装置）
２  誘導灯（照明器具）
３  電源線
４  信号線
ＡＣ  商用電源
ＳＷ１  スイッチ（スイッチ部）
【図１】
2010033847.tif 000004
【図２】
2010033847.tif 000005
【図３】
2010033847.tif 000006
【図４】
2010033847.tif 000007
【図５】
2010033847.tif 000008
【図６】
2010033847.tif 000009
【図７】
2010033847.tif 000010
【図８】
2010033847.tif 000011
【図９】
2010033847.tif 000012
【図１０】
2010033847.tif 000013
【図１１】
2010033847.tif 000014
【図１２】
2010033847.tif 000015
【図１３】
2010033847.tif 000016
【図１４】
2010033847.tif 000017